(57)【要約】　　　（修正有）【課題】既設木造家屋の柱を簡単な施工で補強する。【解決手段】第一、第二の緊締受金具１，３を取付部片１１，１４と緊締受部片６，７でそれぞれ構成する。第一緊締受金具１の取付部片１１を、基礎コンクリート５上に土台４を介して立設した既設木造家屋の柱２の外側面２´に木螺子１２で止着する。第二緊締受金具３の前記取付部片１４を前記基礎コンクリート５の外側面５´に、該外側面５´に突設した後施工用アンカーで成るねじ杆１５とこれに螺合した固定ナット１６で止着する。そして、第一、第二の緊締受金具１，３の前記緊締受部片６，７間に、該緊締受部片６，７に設けた透孔８，８を通じて螺杆９をわたし、該透孔８より突出する螺杆８の先端に緊締ナット１０を螺合する。【選択図】図３
2004011206.tif 000002
【特許請求の範囲】
【請求項１】
第一、第二の緊締受金具を取付部片と緊締受部片でそれぞれ構成し、第一緊締受金具の取付部片を、基礎コンクリート上に土台を介して立設した既設木造家屋の柱の外側面に木螺子で止着し、第二緊締受金具の前記取付部片を前記基礎コンクリートの外側面に、該外側面に突設した後施工用アンカーで成るねじ杆とこれに螺合した固定ナットで止着すると共に、第一、第二の緊締受金具の前記緊締受部片間に、該緊締受部片に設けた透孔を通じて螺杆をわたし、該透孔より突出する螺杆の先端に緊締ナットを螺合した、既設木造家屋の柱の補強装置。
【発明の詳細な説明】
【０００１】
【産業上の利用分野】
本発明は、既設木造家屋の柱の補強装置に関するものである。
【０００２】
【従来の技術および課題】
既設木造家屋の柱を補強するという着想のものはない。
【０００３】
従って、地震などに対処するために柱単独の補強の必要性が生じても、少くも、当該柱の属する家屋の一部の改築をせざるを得ず、不必要な費用の負担と工期を要している。
【０００４】
本発明は、簡単な構造によって柱の補強を確実に行える装置を提供することを目的として創案したものである。
【０００５】
【発明が解決しようとする課題】
第一、第二の緊締受金具を取付部片と緊締受部片でそれぞれ構成し、第一緊締受金具の取付部片を、基礎コンクリート上に土台を介して立設した既設木造家屋の柱の外側面に木螺子で止着し、第二緊締受金具の前記取付部片を前記基礎コンクリートの外側面に、該外側面に突設した後施工用アンカー（実施形態の基礎コンクリート５のように既設のコンクリート構造物に一端側を埋入して固定し、他の一端側をコンクリート構造物より突出させることができるものをいう、例えば、ケミカルアンカー。）で成るねじ杆とこれに螺合した固定ナットで止着すると共に、第一、第二の緊締受金具の前記緊締受部片間に、該緊締受部片に設けた透孔を通じて螺杆をわたし、該透孔より突出する螺杆の先端に緊締ナットを螺合した構成とする。
【０００６】
【発明の実施の形態】
図面は本発明に係る既設木造家屋の柱の補強装置の実施形態を示し、図１は斜視図、図２は拡大正面図、図３は図２の断面図、図４は第二実施形態の斜視図、図５は第二実施形態の拡大縦断面図である。
【０００７】
本発明に係る既設木造家屋の柱の補強装置は、第一緊締受金具１を基礎コンクリート５上に土台４を介して立設した既設木造家屋の柱２の外側面２´に、第二緊締受金具３を前記基礎コンクリート５の外側面５´にそれぞれ止着し、各緊締受金具１，３の緊締受部片６，７に、該緊締受部片６，７に設けた透孔８，８を通じて螺杆９を架設し、該螺杆９の先端に締付けナット１０を螺合してこれを締め付けた構成を採るものである。
【０００８】
前記第一緊締受金具１は、帯板状の取付部片１１の片面（外面）の一端に前記透孔８を備えた前記緊締受部片６を突設し、取付部片１１に木螺子１２を貫通させる透孔１３，１３，１３を列設して構成し、柱２の外側面２´に取付部片１１を重ね合わせ、透孔１３を通じて木螺子１２を柱２に埋入（螺入）させて柱２に固定したものである。
【０００９】
実施形態の、この第一緊締受金具１は所謂ホールダウン金物で構成してあるが、該実施形態の構造のものに限定する必要はなく、要は、既設の柱２に木螺子１２（所謂、釘でも良い）によって止着する取付部片と螺杆を組付けるための緊締受部片を備えていれば良いのである。
【００１０】
第二緊締受金具３は、長形板状の取付部片１４の片面（外面）の中間部にＵ字状に折り曲げた金属片の両端を熔接して前記緊締受部片７を設けて構成し、基礎コンクリート５の外側面５´に突設したねじ杆１５を挿通させるようにして取付部片１４を前記外側面５´に重ね合わせ、前記ねじ杆１５に固定ナット１６を螺合して締め付けたものである。
【００１１】
前記螺杆９は、柱２側に固定した第一緊締受金具１の緊締受部片６と、基礎コンクリート５側に固定した第二緊締受金具３の緊締受部片７にそれぞれの透孔８，８を通じてわたし、透孔８より突出する先端（末端）に締付けナット１０を螺合して締付けるようにしたものである。
【００１２】
実施形態の螺杆９は、両端に螺子を設けた所謂棒杆体で構成してあるが、ボルト杆で構成して頭部を第一緊締受金具１側の緊締受部片６に係止させるようにしても構造的には不都合はない。しかし、ボルト杆で構成すると、当該ボルト状の螺杆（ボルト杆）は、第二緊締受金具３の緊締受部片７側からの、透孔８，８に対する貫通操作が煩雑となるから、実際上は、第一緊締受部片１側から緊締受部片６，７にわたすことになり、その結果、第二緊締受金具３の緊締受部片７より突出する先端に締付ナット１０を螺合して締付けねばならず、すなわち、低位置で締付操作を行わねばならず、その作業が煩雑である。実施形態の螺杆９はこれを回避できるものである（螺杆９の一方の緊締受部片７側は締付ナット１０を単に螺合すれば良い）。
【００１３】
第二緊締受金具３の緊締受部片７を取付部片１４の長手方向に沿う一端に偏倚させてあるのは、ねじ杆１５の干渉を避けるためである。
【００１４】
実施形態のねじ杆１５は、要するに既設の基礎コンクリート５に固定してねじ部分がコンクリート外側面５´より突設させることのできる構造のものであれば良い。
【００１５】
図１乃至図３で示す第一実施形態は、前記基礎コンクリート５が鉄筋を省略している場合、すなわち、無筋コンクリート布基礎に該コンクリート５の外側面にステンレス鋼板１７を重ね合わせ、これを後施工用のアンカー１８およびこれに螺合するナット１９で締め付けて当該基礎コンクリート５を補強し、該補強のために用いた前記アンカー１８，…およびナット１９，…の一部のものを符号１５，１６で示す通り、ねじ杆１５および固定ナット１６としたものである。
【００１６】
図５および図６で示す第二実施形態は、第一実施形態のような補強の必要のない基礎コンクリート５を利用した場合を示す。
【００１７】
なお、第一、第二のいずれの実施形態も外壁２０を通じて第一緊締受金具１を柱２に固定するようにしているが、該金具１を柱２に直接固定しても良いことは勿論である。
【００１８】
図中、２１は水切りを示し、緊締受部片６，７を取付部片１１，１４より相当量突出させてあるのは、ナット１０，１６の締付操作を円滑に行えることとこの水切り２１の干渉を避けるためでもある。
【００１９】
【発明の効果】
本発明は前記の通りの構成であるから、既設の木造家屋（外壁や構造部材）に損傷を与えずに柱の補強を簡単に行うことができる。
【図面の簡単な説明】
【図１】斜視図。
【図２】拡大正面図。
【図３】図２の断面図。
【図４】第二実施形態の斜視図。
【図５】第二実施形態の拡大縦断面図。
【符号の説明】
１　　　　　第一緊締受金具
２　　　　　柱
３　　　　　第二緊締受金具
５　　　　　基礎コンクリート
６，７　　　緊締受部片
８　　　　　透孔
９　　　　　螺杆
１０　　　　緊締ナット
１１　　　　取付部片
１４　　　　取付部片
１５　　　　ねじ杆
【図１】
2004011206.tif 000003
【図２】
2004011206.tif 000004
【図３】
2004011206.tif 000005
【図４】
2004011206.tif 000006
【図５】
2004011206.tif 000007